(57)【特許請求の範囲】
【請求項１】
前壁、後壁、左右側壁、底板とを備えた中空ブロックからなる魚巣ブロックであって、底板の後部が開口され、前壁の上端縁が一部除去されて切り欠き部となされ、前壁に前記切り欠き部よりも小形の透孔が穿設されて第１の開口部となされ、このブロックが積み上げられて擁壁となされたときに切り欠き部が中空内部に連通する第２の開口部となされ、異なる大きさの魚類がこの第１の開口部と第２の開口部によりこのブロック内に進入できるようになされ、且つ前壁が後壁より幅小となされ、この前壁の左右端部から後壁に亘って左右側壁が設けられると共に、前記左右側壁は後壁の左右端部より内寄りに設けられ、さらに左右側壁下端の前部外面には、後壁と間隔を開けて突起が設けられて、このブロックが左右に連設されたとき、左右のブロックの後壁と側壁とにより、前記突起により形成される壁を除いて、上下及び前面が平面視略コ字状に開口する空洞部が形成されるようになされたことを特徴とする魚巣ブロック。
【請求項２】
左右側壁の上端部に第一の係合部が形成されるとともに左右側壁の下端部にこの第一の係合部に係合する第二の係合部が形成されてなることを特徴とする請求項１に記載の魚巣ブロック。
【請求項３】
左右側壁の上端部に第一の係合部が形成されるとともに左右側壁の下端部にこの第一の係合部に係合する第二の係合部が形成されてなる前記請求項２に記載の魚巣ブロックが適宜段数積み上げられ、この上部に接続ブロックを介して擁壁ブロックが積み上げられた環境共生型擁壁であって、接続ブロックの下面には前記第２の係合部に係合する係合部が設けられ、上面にはその上部に擁壁ブロックを接続するための接続部が設けられたことを特徴とする環境共生型擁壁。
【発明の詳細な説明】
【０００１】
【発明の属する技術分野】
本発明は、河川、海岸、湖沼等の護岸等に主として使用される魚巣ブロック及びこの魚巣ブロックを用いた環境共生型擁壁に関するものである。
【０００２】
【従来の技術】
従来、河川の護岸、海岸、湖沼等の護岸に直方体状の鉄線籠や箱型のコンクリートブロックに中詰め石が充填されたものが適宜積み上げられて使用されている。
【０００３】
しかし中詰め石が充填された直方体状の鉄線籠の場合、鉄線籠がよく目立ち景観が損なわれるという欠点がある。
【０００４】
又、中詰め石が充填された箱型のコンクリートブロックの場合も、底板を設けたコンクリートブロックの場合は、コンクリートブロックに阻まれて水棲生物や魚類等の移動ができず、生物の生息、生育環境が悪化するという問題があった。
【０００５】
又、従来の環境共生型擁壁においては、水中の魚類などの水棲生物の生息に好適なブロックと水上の植物の成育、昆虫などの小動物の棲息に好適なブロックの組合せについて配慮されたものはなかった。
【０００６】
【発明が解決しようとする課題】
本発明は上述の直方体状の鉄線籠や箱型のコンクリートブロックの問題点を解決し、箱型のコンクリートブロックであっても水棲生物や魚類等の移動が阻まれない魚巣ブロックとこの魚巣ブロックを用いた環境共生型擁壁を提供するものである。
【０００７】
【課題を解決するための手段】
本発明請求項１記載の魚巣ブロックは、前壁、後壁、左右側壁、底板とを備えた中空ブロックからなる魚巣ブロックであって、底板の後部が開口され、前壁の上端縁が一部除去されて切り欠き部となされ、前壁に前記切り欠き部よりも小形の透孔が穿設されて第１の開口部となされ、このブロックが積み上げられて擁壁となされたときに切り欠き部が中空内部に連通する第２の開口部となされ、異なる大きさの魚類がこの第１の開口部と第２の開口部によりこのブロック内に進入できるようになされもので、河川などの法面に積み上げられて擁壁が形成されたとき、多種類の魚類が営巣できるので、水中の環境が好適に維持される。
【０００８】
又本発明請求項１記載の魚巣ブロックは、前壁が後壁より幅小となされ、この前壁の左右端部から後壁に亘って左右側壁が設けられると共に、前記左右側壁は後壁の左右端部より内寄りに設けられ、さらに左右側壁下端の前部外面には、後壁と間隔を開けて突起が設けられて、このブロックが左右に連設されたとき、左右のブロックの後壁と側壁とにより、前記突起により形成される壁を除いて、上下及び前面が平面視略コ字状に開口する空洞部が形成されるようになされたものであり、すなわちこの空洞部の前部に設けられた突起により形成される壁を除いて第３の開口部が形成され、この第３の開口部により大型の魚類が進入できるとともに、洪水時には側壁の突起によりブロック内部への流速を低減させるとともに、平常時には水の流れに変化を与え、ブロック内の水の滞留を防ぐ。
【０００９】
本発明請求項２記載の魚巣ブロックは、左右側壁の上端部に第一の係合部が形成されるとともに左右側壁の下端部にこの第一の係合部に係合する第二の係合部が形成されてなるもので、この環境共生型擁壁ブロックが積み上げられたときに、側壁の上下端部に形成された第一の係合部と第二の係合部が係合されるので上下の擁壁ブロックがずれにくい。
【００１０】
本発明請求項３記載の環境共生型擁壁は、左右側壁の上端部に第一の係合部が形成されるとともに左右側壁の下端部にこの第一の係合部に係合する第二の係合部が形成されてなる前記請求項２に記載の魚巣ブロックが適宜段数積み上げられ、この上部に接続ブロックを介して擁壁ブロックが積み上げられた環境共生型擁壁であって、接続ブロックの下面には前記第二の係合部に係合する係合部が設けられ、上面にはその上部に擁壁ブロックを接続するための接続部が設けられたもので、魚巣ブロックの上に異なる種類の擁壁ブロックを積み上げることができるので、設置場所に応じた擁壁を容易に形成でき、水中での魚類などの水棲生物の棲息に好適なブロックと水上での植物の成育、昆虫などの棲息に好適なブロックを組み合わせて用いることができ、より環境に好適な擁壁となる。
【００１１】
【発明の実施の形態】
以下本発明魚巣ブロック及びこの魚巣ブロックを用いた環境共生型擁壁の実施形態の一例について、図１〜図６を基に説明する。
【００１２】
図面においてＡは魚巣ブロックである。この魚巣ブロックＡは、前壁１、後壁２、左右側壁３とからなる枠体の前寄りに形成された底板４とからなる。
【００１３】
前壁１は横長の方形板であり、その前面には装飾１１が施され、左右端部に亘って横溝１６が形成されている。また、前壁１には開口部１２が形成されている。この開口部１２は横長の大きいものが１個設けられてもよいし、小さなものが２〜５個程度設けられてもよく、小さい場合は長方形、円形、小判形等の形状であってもよく、かつ開口部１２が複数個設けられる場合は適宜傾斜させたり、千鳥状に配置されてもよい。又、前壁の左右側部の上部が切り欠かれ、左右にこのブロックが連設されたときに開口部を形成するようになされている。
【００１４】
後壁２は方形板であり、後壁２の上端部には凹部２１が形成されている。
【００１５】
側壁３は前壁１と後壁２とを接続するものであって、左右で一対となされ、この左右側壁３、３は後壁２の左右端部より内寄りに設けられるのがよい。この側壁３の上端部には後ろ寄りに台形状の突起３１が形成されるとともに、側壁３の下端部には台形状の窪み３２が形成されてている。また側壁３にも開口部３３が形成されている。又、側壁下端の前部には突起１４が設けられ、このブロックが左右に連設されたとき、後壁２と側壁３から大形の空洞部が形成され、この空洞部の前部に設けられた突起１４により形成される壁を除いて第３の開口部１５が形成され、この第３の開口部１５により大型の魚類が進入できるとともに、洪水時には側壁の突起１４によりブロック内部への流速を低減させるとともに、平常時には水の流れに変化を与え、ブロックＡ内の水の滞留を防ぐ。
【００１６】
底板４は前壁１、後壁２、左右側壁３、３とからなる枠体の下端部前寄りに形成されたものであり、この底板４にも開口部４１が形成されている。
【００１７】
接続ブロック５は側面視楔状の平板で、その正面には装飾５４が施され、下面には下段のブロックの側壁に設けられた突起に対応する溝５２が形成されて係合部となされており、上面にはコンクリートやセメントモルタルを保持する凹部５１が形成されて接続部となされ、この凹部５１に差し筋を挿入するための差し筋孔５３が設けられている。また左右の縁部には半円形の溝が形成され、この接続ブロック５が左右に連設されたときに差し筋孔を形成するようになされている。
【００１８】
つぎに本発明における実施例について述べる。ブロックＡは前壁１、後壁２、左右側壁３とからなる枠体の前寄りに形成された底板４とからなり、その寸法は横幅９９８ｍｍ、高さ５００ｍｍ、奥行き６００ｍｍ程度となされている。前壁１には縦幅７０ｍｍ、横幅９０ｍｍの開口部１２が２個穿設されるとともに、上部が切り欠かれて切り欠き部１３となされ、表面には装飾１１が形成され、左右端部に亘って幅７０ｍｍ、深さ３０ｍｍの横溝１６が形成されている。この横溝１６により、蟹や海老などの水棲の小動物の移動が容易となり、開口部からブロック内への進入が容易となる。
【００１９】
左右側壁３、３は後壁２の左右端部より約１５０ｍｍ内寄りに設けられており、かつこの側壁３の上端部には後ろ寄りに底辺１４０ｍｍ、上辺１２０ｍｍ、高さ３８ｍｍの台形状の突起３１が形成されるとともに、側壁３の下端部には中央に底辺１４５ｍｍ、上辺１２５ｍｍ、高さ４０ｍｍの台形状の窪み３２が形成されている。また側壁３、３にも横幅２００ｍｍ、縦幅１２５ｍｍの開口部３３が各１個形成されている。又、側壁の下端前方には突起１４が設けられ、このブロックが左右に連設されたとき、後壁２と側壁３から大形の空洞部が形成され、この空洞部の前部に設けられた突起１４により形成される壁を除いて第３の開口部１５が形成され、この第３の開口部１５により大型の魚類が進入できるとともに開口部３３からブロック内に進入できる。又、洪水時には側壁の突起１４によりブロック内部への流速を低減させるとともに、平常時には水の流れに変化を与え、ブロックＡ内の水の滞留を防ぐ。
【００２０】
底板４は後壁２との間に２００ｍｍの開口部４１が形成されている。
【００２１】
河岸の所定箇所を川底より深く掘り下げ、基礎砕石Ｄを敷きつめた上に基礎コンクリートＥを流し込んだ後、中詰め石Ｂを充填したブロックＡを設置し、その後方に裏込め砕石Ｃを充填する。次いで、最下段のブロックＡの上に二段目のブロックＡを積む。そのとき二段目のブロックＡの窪み３２を最下段のブロックＡの突起３１に嵌合させる。そして二段目のブロックＡの後面にも裏込め砕石Ｃを充填する。このようにブロックＡを水面近くまで積み上げた後、水面上には図１に示すような緑化用環境共生型ブロックＨや、図２に示すような自然石をモチーフとしたブロックＩなどが積み上げられる。この例で水中のブロックと水上のブロックの間には接続用ブロック５が配設される。この接続用ブロック５の下面には水中に配設されたブロックの側壁上端に設けられた台形状の突起３１に対応する溝５２が形成され、前記台形状の突起３１と係合するようになされている。又、接続用ブロック上面の凹部５１にはコンクリートが流し込まれ、差し筋孔５３には鉄筋Ｆが挿入され上下のブロックを強固に接続している。又、左右に隣り合うブロックＡの後壁に埋設されたインサート２２が互いに連結金具Ｇで連結され、ブロックＡがずれないようになされる。
【００２２】
【発明の効果】
以上詳述した如く、本発明請求項１記載の魚巣ブロックは、前壁、後壁、左右側壁、底板とを備えた中空ブロックからなる魚巣ブロックであって、底板の後部が開口され、前壁の上端縁が一部除去されて切り欠き部となされ、前壁に前記切り欠き部よりも小形の透孔が穿設されて第１の開口部となされ、このブロックが積み上げられて擁壁となされたときに切り欠き部が中空内部に連通する第２の開口部となされ、異なる大きさの魚類がこの第１の開口部と第２の開口部によりこのブロック内に進入できるようになされもので、河川などの法面に積み上げられて擁壁が形成されたとき、多種類の魚類が営巣できるので、水中の環境が好適に維持される。
【００２３】
又本発明請求項１記載の魚巣ブロックは、前壁が後壁より幅小となされ、この前壁の左右端部から後壁に亘って左右側壁が設けられると共に、前記左右側壁は後壁の左右端部より内寄りに設けられ、さらに左右側壁下端の前部外面には、後壁と間隔を開けて突起が設けられて、このブロックが左右に連設されたとき、左右のブロックの後壁と側壁とにより、前記突起により形成される壁を除いて、上下及び前面が平面視略コ字状に開口する空洞部が形成されるようになされたものであり、すなわちこの空洞部の前部に設けられた突起により形成される壁を除いて第３の開口部が形成され、この第３の開口部により大型の魚類が進入できるとともに、洪水時には側壁の突起によりブロック内部への流速を低減させるとともに、平常時には水の流れに変化を与え、ブロック内の水の滞留を防ぐ。
【００２４】
又、本発明請求項２記載の魚巣ブロックは、左右側壁の上端部に第一の係合部が形成されるとともに左右側壁の下端部にこの第一の係合部に係合する第二の係合部が形成されてなるもので、この環境共生型擁壁ブロックが積み上げられたときに、側壁の上下端部に形成された第一の係合部と第二の係合部が係合されるので上下の擁壁ブロックがずれにくい。
【００２５】
又、本発明請求項３記載の環境共生型擁壁は、左右側壁の上端部に第一の係合部が形成されるとともに左右側壁の下端部にこの第一の係合部に係合する第二の係合部が形成されてなる前記請求項２に記載の魚巣ブロックが適宜段数積み上げられ、この上部に接続ブロックを介して擁壁ブロックが積み上げられた環境共生型擁壁であって、接続ブロックの下面には前記第二の係合部に係合する係合部が設けられ、上面にはその上部に擁壁ブロックを接続するための接続部が設けられたもので、環境共生ブロックの上に異なる種類の擁壁ブロックを積み上げることができるので、設置場所の目的や条件に応じた擁壁を容易に形成できる。
【図面の簡単な説明】
【図１】  本発明魚巣ブロックの施工状態の一例を示す一部切り欠き正面図である。
【図２】  図１の要部の断面図である。
【図３】  本発明魚巣ブロックの施工状態の一例を示す一部切り欠き正面図である。
【図４】  図３の要部の断面図である。
【図５】  本発明魚巣ブロックの実施形態の一例を示す（イ）は正面図、（ロ）は平面図、（ハ）は側面図、（ニ）は断面図である。
【図６】  本発明環境共生型擁壁に於ける接続ブロックの一例を示す（イ）は正面図、（ロ）は平面図、（ハ）はａ−ａ断面図である。
【符号の説明】
Ａ    魚巣ブロック
Ｂ    中詰め石
Ｃ    裏込め砕石
Ｄ    基礎砕石
Ｅ    基礎コンクリート
Ｆ    鉄筋
Ｇ    連結金具
Ｈ    緑化用環境共生型ブロック
Ｉ    自然石をモチーフとしたブロック
１    前壁
１１  装飾
１２  開口部
１３  切り欠き部
１４  突起
１５  第３の開口部
１６  横溝
２    後壁
２１  凹部
２２  インサート
３    側壁
３１  突起
３２  窪み
３３  開口部
４    底板
４１  開口部
５    接続ブロック
５１  凹部
５２  溝
５３  差し筋孔
５４  装飾
【図１】
0004113684.tif 000002
【図２】
0004113684.tif 000003
【図３】
0004113684.tif 000004
【図４】
0004113684.tif 000005
【図５】
0004113684.tif 000006
【図６】
0004113684.tif 000007